(57)【要約】【課題】遊技店内で多様な設定を実現し、柔軟な運用を行なうこと。【解決手段】カード管理装置４０は、台間カード処理機１０に対して、遊技玉の払い出しに対する制限設定を行なうことで、同一の店舗内に、入金、玉貸、持玉再プレイ及び貯玉再プレイの全てが利用可能な通常の遊技島Ｐ１と、入金を禁止されたカード使用専用の遊技島Ｐ２と、持玉又は貯玉による再プレイ専用の遊技島Ｐ３とし、会員による貯玉再プレイ専用の遊技島Ｐ４とを設ける。【選択図】図１
2018034031.tif 000002
【特許請求の範囲】
【請求項１】
複数の遊技機が設置された遊技場内の遊技を管理する遊技管理システムであって、
前記遊技機に併設された各台装置に対し、所定の制限を設定する制限設定手段を備え、
前記各台装置は、
貨幣の入金に基づく有価価値と、遊技客が遊技にて獲得した獲得遊技媒体とが対応付けられた記録媒体を受付ける記録媒体受付手段と、
前記記録媒体受付手段にて受け付けた記録媒体に対応付けられた有価価値を使用して遊技媒体を遊技機での遊技に供する有価価値使用処理手段と、
前記記録媒体受付手段にて受け付けた記録媒体に対応付けられた獲得遊技媒体を使用して遊技媒体を遊技機での遊技に供する獲得遊技媒体使用処理手段と、
前記記録媒体受付手段にて受け付けた記録媒体に対応付けられた有価価値及び獲得遊技媒体に関する情報を表示可能な表示手段と
を備え、
前記制限設定手段は、前記有価価値使用処理手段による有価価値の使用と前記獲得遊技媒体使用処理手段による獲得遊技媒体の使用との双方を許容する第１の設定と、前記有価価値使用処理手段による有価価値の使用を許容する一方で前記獲得遊技媒体使用処理手段による前記獲得遊技媒体の使用を禁止する第２の設定が可能である
ことを特徴とする遊技管理システム。
【請求項２】
前記制限設定手段は、複数の各台装置をグループとして、グループ内の各台装置に対して制限設定を行う機能を備えたことを特徴とする請求項１に記載の遊技管理システム。
【請求項３】
前記獲得遊技媒体使用処理手段は、獲得遊技媒体を使用して遊技媒体を遊技機での遊技に供する場合に、所定数ずつの遊技媒体については遊技機に対して払出を指示することにより遊技に供し、前記所定数に満たない遊技媒体については自装置の払出機構によって遊技機に払出すことにより遊技に供する機能を備えた
ことを特徴とする請求項１または２に記載の遊技管理システム。
【請求項４】
前記記録媒体受付手段は、会員が所持する会員用記録媒体を受付ける機能を備え、
前記各台装置は、前記記録媒体受付手段にて受け付けた会員用記録媒体に対応付けられた貯遊技媒体を使用して遊技媒体を遊技機での遊技に供する貯遊技媒体使用処理手段を備え、
前記表示手段は、前記貯遊技媒体使用処理手段による貯遊技媒体の使用を指示するために遊技者に操作される貯遊技媒体使用指示操作部を表示する機能を備えた
ことを特徴とする請求項１〜３のいずれか一つに記載の遊技管理システム。
【請求項５】
前記各台装置は、
遊技客が所持する携帯端末と通信を行う携帯端末通信手段をさらに備えたことを特徴とする請求項１〜４のいずれか一つに記載の遊技管理システム。
【発明の詳細な説明】
【技術分野】
【０００１】
この発明は、複数の遊技機が設置された遊技場内の遊技を管理する遊技管理システムに関する。
【背景技術】
【０００２】
従来、パチンコ店等の遊技店では、遊技客を識別する識別情報に関連付けて遊技客に関する各種情報を管理し、遊技客に対する様々なサービスを行なっている。例えば、特許文献１は、遊技店に会員登録した遊技客の会員ＩＤに対応付けて遊技媒体数を管理し、該遊技媒体数を翌日以降も遊技や景品交換に使用可能とする貯玉サービスを提供する貯玉管理装置を開示している。
【０００３】
遊技客は、遊技において獲得した遊技媒体数である持玉数を上述の貯玉管理装置に登録することで、持玉から貯玉への移行を行なうことができる。持玉は、所定の期限内のみ（例えば当日の閉店時間まで）遊技や景品交換に使用可能であるが、貯玉に移行させることにより所定の期限を超えて使用できることとなる。なお、遊技媒体がメダルである場合には、持メダル及び貯メダルとして同様のサービスが行なわれる。
【先行技術文献】
【特許文献】
【０００４】
【特許文献１】特開２０１１−２１７８４６号公報
【発明の概要】
【発明が解決しようとする課題】
【０００５】
しかしながら、従来の技術では、上述したような貯玉サービスを行なう場合に、店舗内で一律に同じサービスを提供することが前提となっており、柔軟な運用を行なうことができないという問題点があった。
【０００６】
これらのことから、同一の遊技店内で、遊技媒体の使用に対する制限を異ならせて柔軟に運用可能とする技術をいかにして実現するかが重要な課題となっていた。
【０００７】
本発明は、上記従来技術の課題を解決するためになされたものであって、遊技店内で多様な設定を実現し、柔軟な運用を行なうことのできる遊技管理システムを提供することを目的とする。
【課題を解決するための手段】
【０００８】
上述した課題を解決し、目的を達成するため、本発明は、複数の遊技機が設置された遊技場内の遊技を管理する遊技管理システムであって、前記遊技機に併設された各台装置に対し、所定の制限を設定する制限設定手段を備え、前記各台装置は、貨幣の入金に基づく有価価値と、遊技客が遊技にて獲得した獲得遊技媒体とが対応付けられた記録媒体を受付ける記録媒体受付手段と、前記記録媒体受付手段にて受け付けた記録媒体に対応付けられた有価価値を使用して遊技媒体を遊技機での遊技に供する有価価値使用処理手段と、前記記録媒体受付手段にて受け付けた記録媒体に対応付けられた獲得遊技媒体を使用して遊技媒体を遊技機での遊技に供する獲得遊技媒体使用処理手段と、前記記録媒体受付手段にて受け付けた記録媒体に対応付けられた有価価値及び獲得遊技媒体に関する情報を表示可能な表示手段とを備え、前記制限設定手段は、前記有価価値使用処理手段による有価価値の使用と前記獲得遊技媒体使用処理手段による獲得遊技媒体の使用との双方を許容する第１の設定と、前記有価価値使用処理手段による有価価値の使用を許容する一方で前記獲得遊技媒体使用処理手段による前記獲得遊技媒体の使用を禁止する第２の設定が可能であることを特徴とする。
また、本発明は、上記発明において、前記制限設定手段は、複数の各台装置をグループとして、グループ内の各台装置に対して制限設定を行う機能を備えたことを特徴とする。
【０００９】
また、本発明は、上記発明において、前記獲得遊技媒体使用処理手段は、獲得遊技媒体を使用して遊技媒体を遊技機での遊技に供する場合に、所定数ずつの遊技媒体については遊技機に対して払出を指示することにより遊技に供し、前記所定数に満たない遊技媒体については自装置の払出機構によって遊技機に払出すことにより遊技に供する機能を備えたことを特徴とする。
また、本発明は、上記発明において、前記記録媒体受付手段は、会員が所持する会員用記録媒体を受付ける機能を備え、前記各台装置は、前記記録媒体受付手段にて受け付けた会員用記録媒体に対応付けられた貯遊技媒体を使用して遊技媒体を遊技機での遊技に供する貯遊技媒体使用処理手段を備え、前記表示手段は、前記貯遊技媒体使用処理手段による貯遊技媒体の使用を指示するために遊技者に操作される貯遊技媒体使用指示操作部を表示する機能を備えたことを特徴とする。
【００１０】
また、本発明は、上記発明において、前記各台装置は、遊技客が所持する携帯端末と通信を行う携帯端末通信手段をさらに備えたことを特徴とする。
【発明の効果】
【００１１】
本発明によれば、遊技店内で多様な設定を実現し、柔軟な運用を行なうことができる。
【図面の簡単な説明】
【００１２】
【図１】図１は、実施例１に係る遊技管理の概念を説明するための説明図である。
【図２】図２は、遊技店のシステム構成を示す図である。
【図３】図３は、図２に示した台間カード処理機の外観構成を示す図である。
【図４】図４は、図２に示した台間カード処理機の内部構成を示すブロック図である。
【図５】図５は、払出設定の決定について説明するための説明図である。
【図６】図６は、台間カード処理機の記憶部が記憶するデータを説明するための説明図である。
【図７】図７は、図２に示したカード管理装置の内部構成を示すブロック図である。
【図８】図８は、カード管理装置の記憶部が記憶するデータを説明するための説明図である。
【図９】図９は、図２に示した会員管理装置の内部構成を示すブロック図である。
【図１０】図１０は、会員管理装置の記憶部が記憶するデータを説明するための説明図である。
【図１１】図１１は、カード管理装置による制限設定の処理手順を示すフローチャートである。
【図１２】図１２は、台間カード処理機による制限設定の処理手順を示すフローチャートである。
【図１３】図１３は、実施例２に係るカード管理装置の内部構成を示すブロック図である。
【図１４】図１４は、実施例２に係るカード管理装置の処理手順を示すフローチャートである。
【発明を実施するための形態】
【００１３】
以下に、添付図面を参照して、本発明に係る遊技管理システムの好適な実施例を詳細に説明する。
【００１４】
本明細書中にあって持玉とは、遊技客が遊技において獲得した遊技媒体又は当該遊技媒体数を示すデータであって、その当日中（閉店より前の時間）のみ遊技に再度供することができるものを言う。貯玉とは、遊技客が遊技において獲得した遊技媒体又は当該遊技媒体数を示すデータであって、翌日以降（閉店より後の時間）も遊技に再度供することができるものを言う。持玉は、一般遊技客および会員遊技客の双方が使用可能であり、遊技機を移動した場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【００１５】
また、本明細書では、遊技媒体の払出を行なうための遊技用媒体として、貨幣及びカードを使用する場合について説明する。貨幣を遊技用媒体として用いる場合には、入金した貨幣に対応するプリペイド価値をカードに関連付けて管理し、プリペイド価値を減算して遊技媒体の払出を行なう。また、カードを遊技用媒体として用いる場合には、カードの予め関連付けられたプリペイド価値、持玉又は貯玉を減算して遊技媒体の払出を行なう。
【実施例１】
【００１６】
まず、本実施例１に係る遊技管理の概念について説明する。図１は、実施例１に係る遊技管理の概念を説明するための説明図である。図１に示すように、遊技店には複数の遊技島が設けられ、各遊技島には遊技機２０が複数設置されている。さらに各遊技機２０には、それぞれ台間カード処理機１０が併設されている。
【００１７】
各台間カード処理機１０は、カード管理装置４０と接続する。カード管理装置４０は、台間カード処理機１０に対して、遊技玉の払出に対する制限設定を行なう。図１では、カード管理装置４０は、遊技島Ｐ１に設置された台間カード処理機１０に対しては、遊技玉の払出に対する制限設定を行なっていない。このため、遊技島Ｐ１に設置された台間カード処理機１０では、入金、玉貸、持玉再プレイ、貯玉再プレイの全てが利用可能である。すなわち、遊技島Ｐ１は、通常の遊技島となる。
【００１８】
また、カード管理装置４０は、遊技島Ｐ２に設置された台間カード処理機１０に対しては、入金を禁止している。このため、遊技島Ｐ２に設置された台間カード処理機１０では、玉貸、持玉再プレイ、貯玉再プレイが利用可能である。すなわち、遊技島Ｐ２は、カード使用専用の遊技島となる。
【００１９】
また、カード管理装置４０は、遊技島Ｐ３に設置された台間カード処理機１０に対しては、再プレイのみを許可している。このため、遊技島Ｐ３に設置された台間カード処理機１０では、入金と玉貸が利用できず、持玉再プレイ又は貯玉再プレイが利用可能である。すなわち、遊技島Ｐ３は、再プレイ専用の遊技島となる。
【００２０】
また、カード管理装置４０は、遊技島Ｐ４に設置された台間カード処理機１０に対しては、貯玉再プレイのみを許可している。このため、遊技島Ｐ４に設置された台間カード処理機１０では、入金、玉貸及び持玉再プレイが利用できず、貯玉再プレイが利用可能である。すなわち、遊技島Ｐ４は、会員による貯玉再プレイ専用の遊技島となる。
【００２１】
このように、台間カード処理機１０で利用可能な遊技玉の払出方法を制限する設定を行なうことにより、遊技店における柔軟な運用が実現できる。例えば、遊技島Ｐ４で遊技するためには、会員になり、かつ貯玉を事前に預け入れる必要があるので、遊技島Ｐ４に人気のある機種を設置すれば、会員を優遇することができるとともに、会員登録への動機付けを行なうことができる。
【００２２】
また、遊技島Ｐ２〜Ｐ４では、入金の受付を行なわないため、遊技島Ｐ２〜Ｐ４で遊技したい場合には、まず遊技島Ｐ１で遊技して、プリペイド価値、持玉又は貯玉が関連付けられたカードを入手することとなる。このため、遊技機の選択に戦略性を与えることができる。
【００２３】
さらに、遊技島Ｐ２〜Ｐ４では、入金の受付を行なわないため、貨幣の搬送異常等によって動作を止める必要が無く、稼働率の低下を防止できる。
【００２４】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００２５】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００２６】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機の制御装置は、入賞領域ごとに何個の遊技玉を賞玉として付与するかを記憶する賞玉メモリを有している。
【００２７】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数の遊技玉が払い出される。
【００２８】
台間カード処理機１０は、入金の受付、遊技玉の貸し出し並びにカード管理装置４０との通信を行う。台間カード処理機１０は、遊技客が投入した紙幣を受け付けたならば、入金額を含む入金通知をカード管理装置４０に送信することで、プリペイド価値をカード管理装置４０が管理するプリペイド価値に加算させる。そして、所定の玉貸し操作がなされたならば、玉貸要求をカード管理装置４０に送信し、カード管理装置４０が管理するプリペイド価値を減算させて、減算したプリペイド価値分に対応する数の遊技玉を払い出す。
【００２９】
また、台間カード処理機１０は、カードの挿入を受け付けたならば、カード管理装置４０にカード挿入通知を送信する。また、台間カード処理機１０は、カード管理装置４０からプリペイド価値、持玉又は貯玉の残高を受信した場合には、該残高を記憶する。そして、持玉の残高を受信し、記憶した場合には、カード管理装置４０に対して持玉減算要求を送信することで、カード管理装置４０が管理する持玉の残高をゼロにクリアする。
【００３０】
また、台間カード処理機１０は、持玉再プレイ操作を受け付けると、自装置が管理する持玉数を所定数減算し、減算した持玉数に対応する数の遊技玉を払い出す。また、台間カード処理機１０は、貯玉再プレイ操作を受け付けると、カード管理装置４０に対して貯玉再プレイ要求を送信することで、会員管理装置５０が管理する貯玉数を所定数減算させ、減算させた貯玉数に対応する数の遊技玉を払い出す。
【００３１】
台間カード処理機１０は、カード返却操作を受け付けたならば、自装置が管理する持玉数を含む持玉加算要求をカード管理装置４０に送信し、カード管理装置４０に持玉を加算させた後、カード排出通知をカード管理装置４０に送信し、カードを排出制御する。
【００３２】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００３３】
カード管理装置４０は、台間カード処理機１０からカード挿入通知を受信したならば、挿入されたカードのカードＩＤと台間カード処理機１０とを関連づけて管理し、該カードＩＤに関連づけられたプリペイド価値及び持玉の残高を台間カード処理機１０に送信する。また、カード挿入通知に示されたカードＩＤが会員カードのカードＩＤである場合には、カード挿入通知を会員管理装置５０に送信し、会員管理装置５０から受信した貯玉再プレイデータを台間カード処理機１０に送信する。
【００３４】
また、カード管理装置４０は、台間カード処理機１０から持玉減算要求を受信した場合には、持玉口座の残高をゼロにクリアし、台間カード処理機１０から持玉加算要求を受信した場合には、持玉加算要求に示された持玉数を持玉口座に加算する。
【００３５】
また、カード管理装置４０は、台間カード処理機１０から玉貸要求を受信した場合には、対応するプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイデータを出力した場合には、貯玉再プレイデータを台間カード処理機１０に送信する。
【００３６】
また、カード管理装置４０は、景品管理装置６０からカードＩＤを受信したならば、このカードＩＤに関連付けられた持玉数を景品管理装置６０に対して通知する。さらに、精算機８０からカードＩＤを受信したならば、このカードＩＤに関連付けられたプリペイド価値を精算機８０に対して通知する。
【００３７】
会員管理装置５０は、遊技店に会員登録された会員の会員管理データを管理する管理装置である。具体的には、会員に対して発行した会員カードＩＤに関連づけて、貯玉数、ポイント、暗証番号及び氏名等を管理する。
【００３８】
会員管理装置５０は、台間カード処理機１０からカード挿入通知を受信したならば、カード挿入通知に示されたカードＩＤに対応する貯玉口座の残高と暗証番号とを含む貯玉再プレイデータを台間カード処理機１０に送信する。また、会員管理装置５０は、台間カード処理機１０から貯玉再プレイ要求を受信したならば、貯玉再プレイ要求に示されたカードＩＤに関連づけられた貯玉口座の残高を所定数減算し、減算後の貯玉口座の残高を含む貯玉再プレイデータを台間カード処理機１０に送信する。なお、台間カード処理機１０と会員管理装置５０との通信は、カード管理装置４０を介して行なわれる。
【００３９】
また、会員管理装置５０は、景品管理装置６０から貯玉数の問い合わせを受けたならば、指定されたカードＩＤに対応する貯玉口座の残高を景品管理装置６０に通知する。
【００４０】
景品管理装置６０は、遊技店内の景品交換カウンタに併設された景品交換用の端末装置であり獲得玉、貯玉及び持玉の景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持玉数を要求する。また、貯玉を景品交換する場合は、会員管理装置５０に対して貯玉数を要求する。
【００４１】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４２】
図２に示したシステムで玉貸しを行う場合の玉貸処理について説明する。遊技客が台間カード処理機１０に対して玉貸操作を行うと、台間カード処理機１０は、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、玉貸要求とを含む。
【００４３】
カード管理装置４０は、玉貸要求を含む電文を受信すると、該電文内のカードＩＤに関連付けられたプリペイド価値を所定値（例えば、１００円＝１度数の場合に５度数）減算してカード管理データを更新し、玉貸許可を送信元の台間カード処理機１０に送信する。玉貸許可を受信した台間カード処理機１０は、減算したプリペイド価値に対応する数（例えば１２５玉）の遊技玉を払い出す。
【００４４】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、カード挿入通知とを含む。
【００４５】
カード管理装置４０は、台間カード処理機１０からカード挿入通知を受信した場合には、該電文内のカードＩＤに関連付けられた各レートの持玉口座の残高を台間カード処理機１０に通知する。
【００４６】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤにより特定される各レートの持玉口座の残高をゼロにクリアする。台間カード処理機１０は、持玉再プレイ操作を受け付けた場合には、記憶した持玉の残高を所定数減算し、対応する数の遊技玉を払い出す。
【００４７】
台間カード処理機１０は、カード返却操作を受け付けた場合には、カード管理装置４０に対して持玉加算要求を含む電文を送信する。この電文は、排出するカードのカードＩＤと、送信元である台間カード処理機１０を特定するアドレス若しくは任意の識別情報と、台間カード処理機１０のレートを特定するための情報と、各レートの持玉の残高と持玉加算要求とを含む。
【００４８】
カード管理装置４０は、持玉加算要求を受け付けた場合には、該電文内のカードＩＤに関連付けられた各レートの持玉口座の残高を受信した残高の値に更新する。
【００４９】
その後、台間カード処理機１０は、カード管理装置４０にカード排出通知を送信し、カードを排出制御する。
【００５０】
次に、図２に示したシステムで貯玉の再プレイを行う場合の貯玉再プレイ処理について説明する。台間カード処理機１０は、会員カードを挿入された場合、若しくは会員カードとして使用可能な携帯端末からカードＩＤに対応する識別情報を読み取った場合に、カード管理装置４０のローカルアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するアドレス若しくは任意の識別情報と、台間カード処理機１０のレートを特定するための情報と、カード挿入通知とを含む。
【００５１】
カード管理装置４０は、カード挿入通知の電文を会員管理装置５０に送信する。会員管理装置５０は、カード挿入通知の電文を受信した場合には、該電文内のカードＩＤに関連付けられた暗証番号と、貯玉口座のうち、該電文により特定されたレートの貯玉口座の残高と、を含む貯玉再プレイデータを台間カード処理機１０に送信する。
【００５２】
台間カード処理機１０は、受信した貯玉再プレイデータを記憶し、貯玉再プレイデータに示された貯玉口座の残高が貯玉再プレイにおける遊技玉の払出単位数（貯玉再プレイ単位数。例えば１２５玉）以上である場合には貯玉再プレイ操作を受付可能とする。なお、ここでは、貯玉口座の残高が払出単位数以上である場合に貯玉再プレイ操作を受付可能とする場合について説明を行なったが、貯玉再プレイデータに貯玉再プレイ可能回数が示されているならば、貯玉再プレイ可能回数が１以上である場合に貯玉再プレイ操作を受付可能としてもよい。
【００５３】
台間カード処理機１０は、貯玉再プレイデータの記憶後、最初に貯玉再プレイ操作を受け付けた場合に、遊技客に対して暗証番号の入力を求め、入力された暗証番号が貯玉再プレイデータに示された暗証番号と一致するかを確認する。
【００５４】
台間カード処理機１０は、暗証番号が一致した場合に、カード管理装置４０のローカルアドレスを宛先として指定した電文を送信する。この電文は、台間カード処理機１０に挿入されているカードのカードＩＤと、送信元である台間カード処理機１０を特定するアドレス若しくは任意の識別情報と、台間カード処理機１０のレートを特定するための情報と、貯玉再プレイ要求とを含む。
【００５５】
カード管理装置４０は、貯玉再プレイ要求の電文を会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高を含む貯玉再プレイデータを台間カード処理機１０に送信する。
【００５６】
台間カード処理機１０は、貯玉再プレイデータを受信して貯玉口座の残高を更新し、遊技玉を貯玉再プレイ単位数だけ払い出す。また、更新後の貯玉口座の残高が貯玉再プレイ単位数未満となったかを判定し、貯玉再プレイ単位数未満となったならば、貯玉再プレイ操作を受付不能とする。更新後の貯玉口座の残高が貯玉再プレイ単位数以上であれば、再度貯玉再プレイ操作を受付可能であり、貯玉再プレイ操作を受付た場合には貯玉再プレイ要求を送信する。２回目以降の貯玉再プレイ操作では、暗証番号の確認は不要である。なお、暗証番号の確認を毎回行なうように設定してもよい。
【００５７】
次に、閉店処理における持玉からの貯玉への移行について説明する。カード管理装置４０は、閉店処理時にカード管理データの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００５８】
次に、図２に示した台間カード処理機１０の外観構成について説明する。図３は、図２に示した台間カード処理機１０の外観構成を示す図である。なお、図３には、遊技機２０に接続された台間カード処理機１０の外観構成を示している。また、併設される遊技機２０は、破線で図示している。また、図３では、紙幣のみを受け付ける台間カード処理機１０を図示したが、硬貨受付用のユニットを設けることもできる。
【００５９】
図３に示すように、台間カード処理機１０は、台間カード処理機１０の装置の状態を所定色のランプの点灯あるいは点滅で表示する状態表示部１１と、遊技玉を貸し出す際の各種紙幣を受け付ける紙幣挿入口１２ａとを有する。また、台間カード処理機１０は、タッチパネルディスプレイ等の表示操作部１３と、カードを受け付けるカード挿入口１４ａと、携帯端末等をかざすためのかざし部１４ｂと、遊技玉を遊技機に投出するノズルユニット１８ａと、遊技機の下皿から落下させた遊技玉を計数する計数ユニット１８ｂとを有する。
【００６０】
次に、図２に示した台間カード処理機１０の内部構成について説明する。図４は、図２に示した台間カード処理機１０の内部構成を示すブロック図である。図４に示すように、台間カード処理機１０は、紙幣搬送部１２と、表示操作部１３と、リーダライタ１４と、かざし部１４ｂと、通信部１５と、記憶部１６と、制御部１７と、ノズルユニット１８ａと、計数ユニット１８ｂとを有する。
【００６１】
紙幣搬送部１２は、紙幣挿入口１２ａから挿入された紙幣の金種及び真偽を判別しつつ図示しない紙幣収納部に搬送する搬送部である。表示操作部１３は、有価価値等の各種情報の表示と、玉貸し操作等の各種操作の受付を行なうタッチパネルディスプレイ等の入出力装置である。
【００６２】
リーダライタ１４は、カード挿入口１４ａに挿入されたカードからカードＩＤを読み取る読取部である。なお、カード挿入口１４ａに挿入されたカードは、このリーダライタ１４を経て図示しないカード収納部に収納される。かざし部１４ｂは、携帯端末等がかざされた場合に、近距離無線通信によりカードＩＤ等の各種情報を読み取るインタフェースである。
【００６３】
通信部１５は、遊技機２０及び通信回線との間のデータ通信を行なうためのインタフェース部である。ノズルユニット１８ａは、玉貸し又は再プレイにより遊技玉を払い出す際に、その一部又は全ての払出に使用される。計数ユニット１８ｂは、遊技玉を計数するユニットである。
【００６４】
記憶部１６は、ハードディスク装置や不揮発性メモリ等からなる記憶デバイスである。記憶部１６は、カードＩＤ１６ａ、有価価値データ１６ｂ、装置ＩＤ１６ｃ、遊技設定データ１６ｄ及び制限データ１６ｅを記憶する。
【００６５】
カードＩＤ１６ａは、リーダライタ１４により読み取られたカードＩＤである。カードが挿入されていない状態で入金が行なわれたならば、図示しないカード収納部からリーダライタ１４にカードが搬送され、リーダライタ１４により読み取られたカードＩＤによってカードＩＤ１６ａが更新される。また、カード挿入口１４ａから図示しないカード収納部にカードが搬送される場合にも、この搬送途中でリーダライタ１４により読み取られたカードＩＤによってカードＩＤ１６ａが更新される。
【００６６】
有価価値データ１６ｂは、遊技玉の払出を受けるために使用可能な有価価値を示すデータである。この有価価値には、玉貸しに使用可能なプリペイド価値の残高、持玉口座の残高、貯玉再プレイ用の暗証番号並びに貯玉口座の残高を含む。
【００６７】
装置ＩＤ１６ｃは、台間カード処理機１０を遊技店内で一意に識別するための識別情報である。遊技設定データ１６ｄは、台間カード処理機１０に設定された遊技種等を示すデータである。遊技店内で複数のレートの遊技玉を扱う場合には、４円レートの遊技玉に「玉１」、２円レートの遊技玉に「玉２」、１円レートの遊技玉に「玉３」のように、レート毎に遊技種名を設定して管理している。したがって、４円区画に設置された台間カード処理機１０は、遊技設定データ１６ｄとして「玉１」を記憶し、１円区画に設置された台間カード処理機１０は、遊技設定データ１６ｄとして「玉３」を記憶することとなる。
【００６８】
さらに、遊技設定データ１６ｄは、貨幣エラー設定と、払出設定とを有する。貨幣エラー設定は、貨幣の搬送エラーや識別機のエラー等、貨幣に関するエラーを無効化するか否かの設定である。払出設定は、プリペイド価値を用いた玉貸、持玉再プレイ又は貯玉再プレイによって遊技玉の払出を行なう際に、台間カード処理機１０と遊技機２０のいずれの払出機構を使用するかの設定である。
【００６９】
制限データ１６ｅは、入金、プリペイド価値を用いた玉貸、持玉再プレイ及び貯玉再プレイについて、許可又は禁止のいずれかを設定したデータである。
【００７０】
制御部１７は、台間カード処理機１０を全体制御する制御部であり、データ管理部１７ａ、計数処理部１７ｂ、制限処理部１７ｃ、貨幣異常検知部１７ｄ及び異常無効化部１７ｅを有する。
【００７１】
データ管理部１７ａは、カードが挿入された場合に、カードＩＤ１６ａ及び装置ＩＤ１６ｃを含むカード挿入通知をカード管理装置４０に送信する。また、データ管理部１７ａは、カード管理装置４０から有価価値（プリペイド価値、持玉及び貯玉の少なくともいずれか）を含むデータを受信した場合に、受信した有価価値により有価価値データ１６ｂを更新する。データ管理部１７ａは、有価価値データ１６ｂに示されたプリペイド価値、持玉及び貯玉の値を適宜表示操作部１３に表示制御する。
【００７２】
また、データ管理部１７ａは、遊技客により玉貸操作が行なわれた場合に、カードＩＤ１６ａ及び装置ＩＤ１６ｃを含む玉貸要求をカード管理装置４０に送信する。この玉貸要求への応答として玉貸許可を受信したならば、データ管理部１７ａは、所定数の遊技玉を払い出す。玉貸による遊技玉の払出は、遊技設定データ１６ｄに示された払出設定に従って、自装置のノズルユニット１８ａと遊技機２０の払出機能とのいずれか、又は双方を用いて行なわれる。
【００７３】
また、データ管理部１７ａは、遊技客により持玉再プレイ操作が行なわれた場合に、有価価値データ１６ｂに示された持玉口座の残高を所定数減算し、対応する数の遊技玉を払い出す。
【００７４】
持玉再プレイによる遊技玉の払出は、遊技設定データ１６ｄに示された払出設定に従って、自装置のノズルユニット１８ａと遊技機２０の払出機能とのいずれか、又は双方を用いて行なわれる。
【００７５】
また、データ管理部１７ａは、有価価値データ１６ｂに示された貯玉口座の残高が貯玉再プレイ単位数以上である場合には、表示操作部１３に貯玉再プレイボタンを表示し、貯玉再プレイ操作を受付可能とする。データ管理部１７ａは、遊技客により貯玉再プレイ操作が行なわれた場合に、カードＩＤ１６ａ及び装置ＩＤ１６ｃを含む貯玉再プレイ要求をカード管理装置４０に送信する。この貯玉再プレイ要求への応答として貯玉再プレイデータを受信したならば、貯玉口座の残高を更新し、貯玉再プレイ単位数の遊技玉を払い出す。なお、初回の貯玉再プレイ操作時には、暗証番号の入力を求め、有価価値データ１６ｂに示された暗証番号と一致することを貯玉再プレイ要求を送信するための条件とする。また、表示部操作部１３は、使用できる価値の種別「プリペイド価値」「持玉」「貯玉」等を、制限データ１６ｅに応じて認識可能に表示することによって、遊技者にどの価値が使用できるかを報知する機能を備えている。また、上位装置と通信が不可能であること等によって貯玉が使用できない場合には、貯玉の表示を消去するか反転表示することによって報知を行う。
【００７６】
貯玉再プレイによる遊技玉の払出は、遊技設定データ１６ｄに示された払出設定に従って、自装置のノズルユニット１８ａと遊技機２０の払出機能とのいずれか、又は双方を用いて行なわれる。
【００７７】
また、データ管理部１７ａは、遊技客によりカード返却操作が行なわれた場合に、カードＩＤ１６ａ、装置ＩＤ１６ｃ並びに持玉数を含む持玉加算要求をカード管理装置４０に送信して、自装置持玉口座の残高を０にクリアした後、カード排出通知をカード管理装置４０に送信し、カードを排出する。
【００７８】
また、データ管理部１７ａは、紙幣挿入口１２ａに紙幣が挿入されると、挿入された紙幣の金額、カードＩＤ１６ａ及び装置ＩＤを含む入金通知をカード管理装置４０に送信する。
【００７９】
計数処理部１７ｂは、計数ユニット１８ｂに遊技玉が投入された場合に、計数ユニット１８ｂに遊技玉の計数を行わせ、計数結果を有価価値データ１６ｂの持玉数に加算する処理を行なう。
【００８０】
制限処理部１７ｃは、カード管理装置４０からの指示に基づいて、制限データ１６ｅを設定し、設定した制限データ１６ｅに応じてデータ管理部１７ａによる処理を制限する処理部である。
【００８１】
制限処理部１７ｃは、制限データ１６ｅの入金に「禁止」が設定されている場合には、データ管理部１７ａによる入金の受付を禁止し、「許可」が設定されている場合に入金の受付を許可する。
【００８２】
制限処理部１７ｃは、制限データ１６ｅのプリペイド使用に「禁止」が設定されている場合には、データ管理部１７ａによる玉貸を禁止し、「許可」が設定されている場合にプリペイド価値を用いた玉貸を許可する。
【００８３】
制限処理部１７ｃは、制限データ１６ｅの持玉再プレイに「禁止」が設定されている場合には、データ管理部１７ａによる持玉再プレイを禁止し、「許可」が設定されている場合に持玉再プレイを許可する。
【００８４】
制限処理部１７ｃは、制限データ１６ｅの貯玉再プレイに「禁止」が設定されている場合には、データ管理部１７ａによる貯玉再プレイを禁止し、「許可」が設定されている場合に貯玉再プレイを許可する。なお、入金、プリペイド使用、持玉再プレイ及び貯玉再プレイの全てが「禁止」であると、遊技玉の払出が行なわれず、遊技ができない状態となるので、少なくともいずれか一つ（通常は貯玉再プレイ）は「許可」とする。
【００８５】
また、制限処理部１７ｃは、制限データ１６ｅの入金に「禁止」が設定された場合には、遊技設定データ１６ｄの貨幣エラーに「無効」を設定し、制限データ１６ｅの入金に「許可」が設定された場合には、遊技設定データ１６ｄの貨幣エラーに「有効」を設定する。
【００８６】
さらに、制限処理部１７ｃは、遊技機２０との接続状態と、制限データ１６ｅの設定内容とに応じて、遊技設定データ１６ｄの払出設定を決定する処理を行なう。図５は、払出設定の決定について説明するための説明図である。
【００８７】
図５（ａ）は、払出設定の内容を示す説明図である。図５（ａ）に示すように、台間カード処理機１０には、払出設定Ｐ１〜Ｐ４のいずれかを選択して設定可能である。払出設定Ｐ１が選択されたならば、再プレイでは、全数を台間カード処理機１０から払い出し、貸出では全数を遊技機２０に払い出させる。払出設定Ｐ２が選択されたならば、再プレイでは、２５玉単位で遊技機２０から払い出させ、端数を台間カード処理機１０が払い出す。貸出では、全数を遊技機２０に払い出させる。
【００８８】
また、払出設定Ｐ３が選択されたならば、再プレイでは、２５玉単位で遊技機２０から払い出させ、端数を台間カード処理機１０が払い出す。貸出においても、２５玉単位で遊技機２０から払い出させ、端数を台間カード処理機１０が払い出す。そして、払出設定Ｐ４が選択されたならば、再プレイでは、全数を台間カード処理機１０から払い出し、貸出でも全数を台間カード処理機１０に払い出させる。
【００８９】
図５（ｂ）は、払出設定の決定条件を示す説明図である。図５（ｂ）に示すように、台間カード処理機１０と遊技機２０との接続が行なわれていなければ、遊技機２０に遊技玉を払い出させることができないので、プリペイド使用や再プレイの設定にかかわらず、払出設定Ｐ４を選択する。
【００９０】
台間カード処理機１０と遊技機２０とが接続されており、プリペイド使用が許可されているならば、デフォルト設定として払出設定Ｐ１が選択される。これは、遊技店員の操作により他の払出設定に変更することを妨げるものではなく、払出設定Ｐ１を優先して選択させることを意味する。払出設定Ｐ１を優先するのは、プリペイド使用による玉貸と、再プレイの双方が使用された場合に、玉貸により払出が行われたのか、再プレイにより払出が行われたのかを区別することができるからである。すなわち、払出設定Ｐ１が選択されていれば、自装置から払い出された遊技玉は再プレイ分であり、遊技機２０から払い出された遊技玉は玉貸分であると区別することができる。
【００９１】
台間カード処理機１０と遊技機２０とが接続されており、プリペイド使用が禁止されているならば、デフォルト設定として払出設定Ｐ２が選択される。これは、遊技店員の操作により他の払出設定に変更することを妨げるものではなく、払出設定Ｐ２を優先して選択させることを意味する。払出設定Ｐ２を優先するのは、一般に、遊技機２０の入れ替え間隔は台間カード処理機１０の入れ替え間隔よりも短く、遊技機２０の払出機構が損耗する前に入れ替えが行なわれることを考慮し、遊技機２０の払出機構を活用するためである。
【００９２】
なお、ここでは、持玉再プレイと貯玉再プレイを同様に扱う場合について説明したが、プリペイド使用が禁止されている場合には、持玉再プレイについては全数を台間カード処理機１０から払い出し、貯玉再プレイでは全数を遊技機２０に払い出させる、などのように、持玉再プレイと貯玉再プレイについて扱いが異なる払出設定を用いてもよい。
【００９３】
図４に示した貨幣異常検知部１７ｄは、紙幣搬送部１２において発生した搬送異常や、貨幣の識別時のエラーを検知した場合に、異常の報知や動作の停止を行なう処理部である。また、紙幣搬送部１２が紙幣を装置の裏側に排出し、島単位で紙幣を回収する回収機構に投出する構成である場合には、この回収機構の異常についても検知する。
【００９４】
異常無効化部１７ｅは、遊技設定データ１６ｄの貨幣エラーが「無効」である場合には、貨幣異常検知部１７ｄの動作を無効化する。このため、貨幣異常検知部１７ｄは、貨幣エラーが「有効」である場合にのみ動作することとなる。
【００９５】
次に、台間カード処理機１０の記憶部１６が記憶するデータの具体例について説明する。図６は、台間カード処理機１０の記憶部１６が記憶するデータを説明するための説明図である。
【００９６】
図６（ａ）に示すカードＩＤ１６ａは、台間カード処理機１０に挿入されたカードのＩＤが「２００２」であることを示している。なお、ここでは、カードＩＤの上１桁がカードの種別を示しており、上１桁が「１」のカードが一般カード、上１桁が「２」のカードが会員カードである。
【００９７】
図６（ｂ）に示す有価価値データ１６ｂは、プリペイド価値が「２０度数」である状態を示している。なお、ここではプリペイド価値の度数は１度数が１００円相当である。また、有価価値データ１６ｂは、玉１の持玉口座の残高が「１２００玉」、玉２の持玉口座の残高が「０玉」、玉３の持玉口座の残高が「５００玉」である状態を示している。また、有価価値データ１６ｂは、貯玉再プレイ用の暗証番号が「７７７７」であり、玉１の貯玉口座の残高が「１０００玉」、玉２の貯玉口座の残高が「０玉」、玉３の貯玉口座の残高が「０玉」である状態を示している。
【００９８】
図６（ｃ）に示す装置ＩＤ１６ｃは、台間カード処理機１０のＩＤが「５００６」である状態を示している。また、図６（ｄ）に示す遊技設定データ１６ｄは、台間カード処理機１０の遊技種として「玉１」が設定された状態を示している。さらに、遊技設定データ１６ｄは、貨幣エラーが「無効」に設定され、払出設定が「Ｐ１」に設定された状態を示している。
【００９９】
図６（ｅ）に示す制限データ１６ｅは、入金が「禁止」に設定され、プリペイド使用が「禁止」に設定され、持玉再プレイが「許可」に設定され、貯玉再プレイが「許可」に設定された状態を示している。なお、台間カード処理機１０は、上位装置（カード管理装置４０、会員管理装置５０）との間の通信が可能かどうかを判断する機能を備えており、上位装置との間の通信が不可能である場合には、低額紙幣（例えば１０００円）のみを受け付ける縮退運用に移行する。この縮退運用移行時に、貯玉再プレイが「許可」に設定され、他のプリペイド使用、持玉再プレイが「禁止」に設定されているときには、遊技に使用する媒体の使用ができない状態となる（上位装置と通信不能のときは貯玉データが使用できない）ため、エラー表示あるいはエラーダウン制御を行って店員に警告を行う。また、縮退運用に移行した際に適用する設定「禁止」「許可」を予め指定しておき、縮退運用移行時に自動的にこの設定が適用されるようにしてもよい。例えば、貯玉再プレイのみを受け付ける設定を行われた台間カード処理機１０は、縮退運用に移行することによってプリペイド使用「許可」に自動的に変更されるようにしてもよい。
【０１００】
次に、図２に示したカード管理装置４０の内部構成について説明する。図７は、図２に示したカード管理装置４０の内部構成を示すブロック図である。図７に示すように、カード管理装置４０は、表示部４１及び入力部４２と接続され、外部ネットワーク通信部４３、店舗ネットワーク通信部４４、記憶部４５及び制御部４６を有する。
【０１０１】
表示部４１は、液晶パネルやディスプレイ装置等である。入力部４２は、キーボードやマウス等である。外部ネットワーク通信部４３は、遊技店外のネットワークを介してデータ通信するためのインタフェース部である。店舗ネットワーク通信部４４は、通信回線を介して台間カード処理機１０、会員管理装置５０、景品管理装置６０等とデータ通信するためのインタフェース部である。また、表示部４１は、貯玉再プレイのみ「許可」の制限設定を行った台間カード処理機１０と通信が不可能である場合には、当該台間カード処理機の稼動が不可能になることから警告表示を行って店員の対処を促す。
【０１０２】
記憶部４５は、ハードディスク装置や不揮発性メモリ等の記憶デバイスであり、カード管理データ４５ａ、制限種別データ４５ｂ及び制限設定データ４５ｃを記憶する。
【０１０３】
カード管理データ４５ａは、カードＩＤに対し、プリペイド価値の残高と、各レートの持玉口座の残高と、該カードが挿入されている台間カード処理機のＩＤを示す使用先ＩＤとを対応付けたデータである。
【０１０４】
制限種別データ４５ｂは、台間カード処理機１０に対して設定する制限の種別と、該種別が選択された場合の制限の内容とを対応付けたデータである。制限設定データ４５ｃは、台間カード処理機１０の装置ＩＤに対し、設定された制限の種別を対応付けたデータである。
【０１０５】
制御部４６は、カード管理装置４０を全体制御する制御部であり、カード管理部４６ａ、制限設定部４６ｂ及び通知部４６ｃを有する。実際には、これらの機能部に対応するプログラムを図示しないＲＯＭや不揮発性メモリに記憶しておき、これらのプログラムをＣＰＵ（Central Processing Unit）にロードして実行することにより、カード管理部４６ａ、制限設定部４６ｂ及び通知部４６ｃにそれぞれ対応するプロセスを実行させることになる。
【０１０６】
カード管理部４６ａは、カード管理データ４５ａの管理を行なう処理部である。具体的には、カード管理部４６ａは、台間カード処理機１０からカード挿入通知を受信した場合には、カード挿入通知に示されたカードＩＤの使用先を、同じくカード挿入通知に示された装置ＩＤとする。また、カード挿入通知に示されたカードＩＤに関連付けられたプリペイド価値と各レートの持玉口座の残高とを有価価値として台間カード処理機１０に通知する。また、挿入されたカードが会員カードである場合には、会員管理装置５０に対してカード挿入通知を転送する。カード管理部４６ａは、台間カード処理機１０から持玉減算要求を受信した場合に、持玉減算要求に示された持玉口座の残高をゼロにクリアしてカード管理データ４５ａを更新する。
【０１０７】
また、カード管理部４６ａは、台間カード処理機１０からカードＩＤを含む玉貸要求を受信した場合に、該カードＩＤに関連付けられたプリペイド価値が所定値以上であるか否かを判定する。プリペイド価値が所定値以上である場合には、カード管理部４６ａは、プリペイド価値を所定値減算してカード管理データ４５ａを更新し、台間カード処理機１０に更新後のプリペイド価値を含む玉貸許可を送信する。一方、プリペイド価値が所定値未満である場合には、カード管理部４６ａは、台間カード処理機１０に玉貸不可を通知する。
【０１０８】
また、カード管理部４６ａは、台間カード処理機１０から金額、カードＩＤ１６ａ及び装置ＩＤ１６ｃを含む入金通知を受信した場合に、該カードＩＤに関連付けられたプリペイド価値を入金通知に示された金額に対応する度数分加算して、カード管理データ４５ａを更新する。
【０１０９】
また、カード管理部４６ａは、台間カード処理機１０から貯玉再プレイ要求を受信した場合には、該貯玉再プレイ要求を会員管理装置５０に転送する。また、貯玉再プレイ要求に対する会員管理装置５０からの応答についても、カード管理部４６ａが転送制御を行なう。
【０１１０】
また、カード管理部４６ａは、持玉加算要求を受信した場合には、持玉加算要求に示された持玉口座の残高に受信した持玉数を加算して、カード管理データ４５ａを更新する。また、カード管理部４６ａは、カード排出通知を受信した場合には、該カードＩＤの使用先について値を消去し、カード管理データ４５ａを更新する。
【０１１１】
また、カード管理部４６ａは、景品管理装置６０からカードＩＤを受信したならば、このカードＩＤに対応づけられた各レートの持玉口座の残高を景品管理装置６０に対して通知する。
【０１１２】
制限設定部４６ｂは、遊技店内の各台間カード処理機１０に対して、制限を設定する処理部である。制限の設定は、台間カード処理機１０に対して個別に行ってもよいし、島単位や、遊技機の機種単位など、複数の台間カード処理機１０に対して一括に行ってもよい。また、台間カード処理機１０に対してグループを設定し、同一グループに属する複数の台間カード処理機１０に対して一括して制限設定を行ってもよい。
【０１１３】
制限設定部４６ｂは、設定した制限を台間カード処理機１０の装置ＩＤに関連付けて制限設定データ４５ｃに登録し、台間カード処理機１０に対して設定内容を送信することで、台間カード処理機１０に制限の設定を行なわせる。
【０１１４】
通知部４６ｃは、入金又はプリペイド使用が「禁止」に設定された台間カード処理機１０が存在する場合に、外部ネットワーク通信部４３を用いて店舗外のサーバに対する通知を行なう処理部である。
【０１１５】
入金やプリペイド使用が「禁止」に設定された台間カード処理機１０では、玉貸が行なわれないために、遊技に用いられても売上が生じない。通常の設定が行なわれていれば売上が生じないのは不審な状態であるので、店舗外のサーバからは異常事態と認識される。そこで、入金又はプリペイド使用が「禁止」に設定された台間カード処理機１０の存在を通知することにより、かかる台間カード処理機１０において売上が発生していなくとも、異常事態と認識されることを防止するのである。
【０１１６】
次に、カード管理装置４０の記憶部４５が記憶するデータの具体例について説明する。図８は、カード管理装置４０の記憶部４５が記憶するデータを説明するための説明図である。
【０１１７】
図８（ａ）に示すカード管理データ４５ａでは、カードＩＤ「１００１」にプリペイド価値「３０度数」と、玉１の持玉口座の残高「２５００」と、玉２の持玉口座の残高「９００」と、玉３の持玉口座の残高「０」とが関連付けられている。また、使用先ＩＤは関連付けられていない。すなわち、カードＩＤ「１００１」のカードは、台間カード処理機１０に挿入されておらず、持玉の管理がカード管理装置４０により行われている。
【０１１８】
また、図８（ａ）に示すカード管理データ４５ａでは、カードＩＤ「２００２」にプリペイド価値「２０度数」と、各レートの持玉口座の残高「０」と、使用先ＩＤ「５００６」とが関連付けられている。すなわち、カードＩＤ「２００２」のカードは、装置ＩＤ「５００６」の台間カード処理機１０に挿入されており、持玉については台間カード処理機１０に管理が移っている。このため、各レートの持玉口座の残高はゼロである。
【０１１９】
図８（ｂ）に示す制限種別データ４５ｂは、種別「制限無し」に対して入金「許可」を関連付け、プリペイド使用「許可」を関連付け、持玉再プレイ「許可」を関連付け、貯玉再プレイ「許可」を関連付けた状態を示している。
【０１２０】
また、図８（ｂ）に示す制限種別データ４５ｂは、種別「カード専用」に対して入金「禁止」を関連付け、プリペイド使用「許可」を関連付け、持玉再プレイ「許可」を関連付け、貯玉再プレイ「許可」を関連付けた状態を示している。
【０１２１】
また、図８（ｂ）に示す制限種別データ４５ｂは、種別「再プレイ専用」に対して入金「禁止」を関連付け、プリペイド使用「禁止」を関連付け、持玉再プレイ「許可」を関連付け、貯玉再プレイ「許可」を関連付けた状態を示している。
【０１２２】
また、図８（ｂ）に示す制限種別データ４５ｂは、種別「貯玉再プレイ専用」に対して入金「禁止」を関連付け、プリペイド使用「禁止」を関連付け、持玉再プレイ「禁止」を関連付け、貯玉再プレイ「許可」を関連付けた状態を示している。
【０１２３】
また、図８（ｂ）に示す制限種別データ４５ｂは、種別「個別」に対して入金「任意」を関連付け、プリペイド使用「任意」を関連付け、持玉再プレイ「任意」を関連付け、貯玉再プレイ「任意」を関連付けた状態を示している。この種別「個別」が選択された場合には、入金、プリペイド使用、持玉再プレイ及び貯玉再プレイに対し、入力部４２から「許可」又は「禁止」の入力を受け付けて設定を行なう。
【０１２４】
図８（ｃ）に示す制限設定データ４５ｃは、装置ＩＤ「５００１」の台間カード処理機１０に対し、種別「制限無し」を設定している。このため、装置ＩＤ「５００１」の台間カード処理機１０は、入金「許可」を設定し、プリペイド使用「許可」を設定し、持玉再プレイ「許可」を設定し、貯玉再プレイ「許可」を設定した状態となる。
【０１２５】
また、図８（ｃ）に示す制限設定データ４５ｃは、装置ＩＤ「５００６」の台間カード処理機１０に対し、種別「再プレイ専用」を設定している。このため、装置ＩＤ「５００６」の台間カード処理機１０は、入金「禁止」を設定し、プリペイド使用「禁止」を設定し、持玉再プレイ「許可」を設定し、貯玉再プレイ「許可」を設定した状態となる。
【０１２６】
また、図８（ｃ）に示す制限設定データ４５ｃは、装置ＩＤ「５０２０」の台間カード処理機１０に対し、種別「個別」を設定している。種別「個別」の場合には、入金、プリペイド使用、持玉再プレイ及び貯玉再プレイについて許可又は禁止を指定する。図８（ｃ）では、入金「禁止」を設定し、プリペイド使用「許可」を設定し、持玉再プレイ「許可」を設定し、貯玉再プレイ「禁止」を指定した状態を示している。
【０１２７】
なお、入金、プリペイド使用、持玉再プレイ及び貯玉再プレイに対する制限と、他の機能に対する制限とを連動させてもよい。例えば、入金「禁止」である台間カード処理機１０については、リモコンなどによる紙幣収納部への解錠指示を営業時間中は禁止するようにしてもよい。
【０１２８】
また、持玉再プレイ「許可」は、ノズルユニット１８ａを有する台間カード処理機１０に対してのみ設定可能としてもよい。ノズルユニット１８ａを有さない台間カード処理機１０では、遊技機２０からの払出単位数（例えば２５玉）未満の持玉を払い出すことができないためである。
【０１２９】
さらに、ノズルユニット１８ａを有する台間カード処理機１０と、ノズルユニット１８ａを有さない台間カード処理機１０とが遊技店内で混在する場合には、ノズルユニット１８ａを有する台間カード処理機１０がカードを返却する際に、遊技機２０からの払出単位数の倍数となるように持玉の登録を行ない、端数分を遊技媒体で払い出すように構成してもよい。
【０１３０】
次に、図２に示した会員管理装置５０の内部構成について説明する。図９は、図２に示した会員管理装置５０の内部構成を示すブロック図である。同図に示すように、会員管理装置５０は、表示部５１及び入力部５２と接続される。表示部５１は、液晶パネルやディスプレイ装置等であり、入力部５２は、キーボードやマウス等である。
【０１３１】
また、会員管理装置５０は、店舗ネットワーク通信部５４と、記憶部５５と、制御部５６とを有する。店舗ネットワーク通信部５４は、遊技店内の通信回線を介して景品管理装置６０及びカード管理装置４０等とデータ通信するためのインタフェース部である。
【０１３２】
記憶部５５は、ハードディスク装置や不揮発性メモリ等の記憶デバイスであり、会員管理データ５５ａ及び景品マスタ５５ｂを記憶する。会員管理データ５５ａは、会員に対して発行した会員カードのカードＩＤに関連づけて、氏名、貯玉、携帯ＩＤｍ、住所、電話番号等を関連付けたデータである。景品マスタ５５ｂは、遊技玉を景品に交換する際に使用するデータである。
【０１３３】
制御部５６は、会員管理装置５０を全体制御する制御部であり、会員管理部５６ａ及び景品マスタ管理部５６ｂを有する。実際には、これらの機能部に対応するプログラムを図示しないＲＯＭや不揮発性メモリに記憶しておき、これらのプログラムをＣＰＵ（Central Processing Unit）にロードして実行することにより、会員管理部５６ａ及び景品マスタ管理部５６ｂにそれぞれ対応するプロセスを実行させることになる。
【０１３４】
会員管理部５６ａは、会員管理データ５５ａの管理を行なう処理部である。会員管理部５６ａは、カード管理装置４０及び景品管理装置６０と通信して、カードＩＤに関連付けられた貯玉口座の残高を更新する。また、会員管理部５６ａは、会員登録要求を受け付けた場合には、会員管理データ５５ａに会員を追加する更新を行なう。
【０１３５】
次に、会員管理装置５０の記憶部５５が記憶するデータの具体例について説明する。図１０は、会員管理装置５０の記憶部５５が記憶するデータを説明するための説明図である。図１０（ａ）に示す会員管理データ５５ａは、カードＩＤ「２００２」に対して、氏名「Ｂ  Ｃ」、玉１の貯玉口座の残高「１０００」、玉２の貯玉口座の残高「０」、玉３の貯玉口座の残高「０」、暗証番号「７７７７」等が関連付けられた状態を示している。なお、図示は省略したが会員管理データ５５ａには、携帯ＩＤｍ、住所、連絡先、来店ポイント等を関連付けることができる。携帯ＩＤｍは、携帯電話等の携帯端末を特定可能な識別データであり、携帯端末を会員カードとして使用する際に用いられる。
【０１３６】
図１０（ｂ）に示す景品マスタ５５ｂは、景品を一意に識別する景品コードに対し、景品名、群コード、景品価値及び交換玉数を関連付けたデータである。ここで、群コードは景品を分類して管理する為の識別情報である。群コード「０１」は、一定の手続きを経て所定の価値で譲渡可能な特殊景品を示す。群コード「０２」以降は、特殊景品以外の日用品などを含む一般景品である。
【０１３７】
景品マスタ５５ｂは、景品コード「０００１」に対し、景品名「大景品」、群コード「０１」、景品価値「１０００」、玉１の交換玉数「４００」、玉２の交換玉数「６２５」並びに玉３の交換玉数「２０００」を関連付けている。
【０１３８】
また、景品マスタ５５ｂは、景品コード「０００２」に対し、景品名「小景品」、群コード「０１」、景品価値「１００」、玉１の交換玉数「４０」、玉２の交換玉数「６２．５」並びに玉３の交換玉数「２００」を関連付けている。
【０１３９】
また、景品マスタ５５ｂは、景品コード「０１００」に対し、景品名「Ｍセブン」、群コード「０２」、景品価値「４００」、玉１の交換玉数「１００」、玉２の交換玉数「２００」並びに玉３の交換玉数「４００」を関連付けている。
【０１４０】
また、景品マスタ５５ｂは、景品コード「０１０１」に対し、景品名「ラック」、群コード「０２」、景品価値「４２０」、玉１の交換玉数「１０５」、玉２の交換玉数「２１０」並びに玉３の交換玉数「４２０」を関連付けている。
【０１４１】
また、景品マスタ５５ｂは、景品コード「０６００」に対し、景品名「端玉  飴」、群コード「０４」、景品価値「１２」、玉１の交換玉数「３」、玉２の交換玉数「６」並びに玉３の交換玉数「１２」を関連付けている。
【０１４２】
次に、カード管理装置４０による制限設定の処理手順について説明する。図１１は、カード管理装置４０による制限設定の処理手順を示すフローチャートである。図１１に示すように、カード管理装置４０の制限設定部４６ｂは、入力部４２が制限設定操作を受け付けたか否かを判定し（ステップＳ１０１）、制限設定操作を受け付けていなければ（ステップＳ１０１；Ｎｏ）、そのまま処理を終了する。
【０１４３】
入力部４２が制限設定操作を受け付けたならば（ステップＳ１０１；Ｙｅｓ）、制限設定部４６ｂは、入力部４２から受け付けた内容に基づいて制限設定データ４５ｃを更新し（ステップＳ１０２）、制限設定が更新された台間カード処理機１０に対して制限設定データ４５ｃを配信する（ステップＳ１０３）。
【０１４４】
通知部４６ｃは、制限設定部４６ｂによる制限設定データ４５ｃの更新において、入金又はプリペイド使用についての制限に変更があったかを判定し（ステップＳ１０４）、変更がなければ（ステップＳ１０４；Ｎｏ）、そのまま処理を終了する。
【０１４５】
入金又はプリペイド使用についての制限に変更があったならば（ステップＳ１０４；Ｙｅｓ）、通知部４６ｃは、外部ネットワーク通信部４３を用いて店舗外のサーバに変更内容を通知して（ステップＳ１０５）、処理を終了する。
【０１４６】
次に、台間カード処理機１０による制限設定の処理手順について説明する。図１２は、台間カード処理機１０による制限設定の処理手順を示すフローチャートである。図１２に示すように、制限処理部１７ｃは、カード管理装置４０から配信された制限設定を受信したか否かを判定し（ステップＳ２０１）、制限設定を受信していなければ（ステップＳ２０１；Ｎｏ）、そのまま処理を終了する。
【０１４７】
カード管理装置４０から配信された制限設定を受信したならば（ステップＳ２０１；Ｙｅｓ）、制限処理部１７ｃは、受信した制限設定により制限データ１６ｅを更新する（ステップＳ２０２）。
【０１４８】
更新された制限データ１６ｅにおいて、入金が「禁止」に設定されているならば（ステップＳ２０３；Ｙｅｓ）、制限処理部１７ｃは、遊技設定データ１６ｄの貨幣エラーに「無効」を設定する（ステップＳ２０４）。
【０１４９】
一方、更新された制限データ１６ｅにおいて、入金が「許可」に設定されているならば（ステップＳ２０３；Ｎｏ）、制限処理部１７ｃは、遊技設定データ１６ｄの貨幣エラーに「有効」を設定する（ステップＳ２０５）。
【０１５０】
ステップＳ２０４又はステップＳ２０５の後、制限処理部１７ｃは、台間カード処理機１０が遊技機２０と接続されているか否かを判定する（ステップＳ２０６）。
【０１５１】
台間カード処理機１０が遊技機２０と接続されているならば（ステップＳ２０６；Ｙｅｓ）、制限処理部１７ｃは、制限データ１６ｅのプリペイド使用及び再プレイの設定に応じて、払出設定を選択し、遊技設定データ１６ｄを更新して（ステップＳ２０７）、処理を終了する。
【０１５２】
一方、台間カード処理機１０が遊技機２０と接続されていなければ（ステップＳ２０６；Ｎｏ）、制限処理部１７ｃは、払出設定Ｐ４を選択し、遊技設定データ１６ｄを更新して（ステップＳ２０８）、処理を終了する。
【０１５３】
上述してきたように、本実施例１では、遊技機２０に併設された台間カード処理機１０に対し、遊技玉の提供方法に対する制限を設定し、台間カード処理機１０が制限に従って遊技玉を提供するように構成したので、遊技店における柔軟な運用が実現できる。
【０１５４】
このため、持玉再プレイ専用の遊技コーナーを設けるなど、会員に対する優遇措置を簡易に行なうことができる。また、入金を禁止した台間カード処理機１０では、貨幣の搬送に関するエラー検知を無効化することで、稼働率の低下を防止できる。
【０１５５】
さらに、持玉再プレイや貯玉再プレイのみを許可した台間カード処理機１０では、再プレイの実行時に遊技玉を自装置から払い出すのではなく、遊技機２０から払い出すように構成することで、払出機構の損耗が台間カード処理機１０側に偏ることを防止できる。一般に、遊技機２０の入れ替え間隔は台間カード処理機１０の入れ替え間隔よりも短く、遊技機２０の払出機構が損耗する前に入れ替えが行なわれる。そこで、遊技機２０の払出機構を優先的に使用することにより、台間カード処理機１０の払出機構における損耗の発生を抑制し、もって台間カード処理機１０を長期間使用可能とすることができる。
【０１５６】
また、入金又はプリペイド使用が「禁止」に設定された台間カード処理機１０の存在を店舗外のサーバに通知することにより、かかる台間カード処理機１０において売上が発生していなくとも、異常事態と認識されることを防止することができる。
【実施例２】
【０１５７】
実施例１では、台間カード処理機１０がカード管理装置４０からの指示に基づいて、入金、プリペイド価値使用、持玉再プレイ及び貯玉再プレイの制限を行なう構成について説明したが、これらの制限はカード管理装置によって行ってもよい。本実施例２では、カード管理装置により制限を行なう構成について説明する。
【０１５８】
実施例２における台間カード処理機は、制御部に制限処理部１７ｃ及び異常無効化部１７ｅを有さず、記憶部に制限データ１６ｅを記憶しない点が実施例１に示した台間カード処理機１０と異なる。すなわち、実施例２における台間カード処理機は、制限に関する機能を有さない通常の台間カード処理機であるので、説明を省略する。
【０１５９】
図１３は、実施例２に係るカード管理装置１４０の内部構成を示すブロック図である。図１３に示すように、カード管理装置１４０の制御部４６は、カード管理部４６ａ、制限設定部４６ｂ及び通知部４６ｃに加えて、制限処理部１４１を更に有する。その他の構成及び動作は実施例１に示したカード管理装置４０と同様であるので、同一の構成要素には同一の符号を付して説明を省略する。
【０１６０】
制限処理部１４１は、制限設定データ４５ｃに示された制限内容に基づいて、カード管理部４６ａによる動作を制限する処理を行なう。この処理について、図１４を参照して説明する。図１４は、実施例２に係るカード管理装置１４０の処理手順を示すフローチャートである。
【０１６１】
図１４に示すように、制限処理部１４１は、台間カード処理機からカード挿入通知を受信したか否かを判定する（ステップＳ３０１）。制限処理部１４１は、カード挿入通知を受信したならば（ステップＳ３０１；Ｙｅｓ）、送信元の台間カード処理機に対する制限を制限設定データ４５ｃから読み取り、持玉再プレイが許可されているか否かを判定する（ステップＳ３０２）。
【０１６２】
持玉再プレイが許可されている場合には（ステップＳ３０２；Ｙｅｓ）、カード管理部４６ａが、持玉口座の残高を台間カード処理機に通知する（ステップＳ３０３）。一方、持玉再プレイが許可されていなければ（ステップＳ３０２；Ｎｏ）、制限処理部１４１は、持玉再プレイ禁止通知を台間カード処理機に送信する（ステップＳ３０４）。
【０１６３】
ここで、台間カード処理機が持玉再プレイ禁止について通知を行なう機能を有しているならば、持玉再プレイが禁止されていること自体を通知すればよい。台間カード処理機が持玉再プレイ禁止について通知を行なう機能を有していないならば、持玉口座の残高を「０」として通知することで、持玉再プレイ禁止とする。
【０１６４】
ステップＳ３０３又はステップＳ３０４の後、制限処理部１４１は、貯玉再プレイが許可されているか否かを判定する（ステップＳ３０５）。
【０１６５】
貯玉再プレイが許可されている場合には（ステップＳ３０５；Ｙｅｓ）、カード管理部４６ａは、カード挿入通知を会員管理装置５０に転送し、会員管理装置５０から受信した貯玉再プレイデータを台間カード処理機に送信することで、貯玉口座の残高を通知する（ステップＳ３０６）。一方、貯玉再プレイが許可されていなければ（ステップＳ３０５；Ｎｏ）、制限処理部１４１は、貯玉再プレイ禁止通知を台間カード処理機に送信する（ステップＳ３０７）。
【０１６６】
ここで、台間カード処理機が貯玉再プレイ禁止について通知を行なう機能を有しているならば、貯玉再プレイが禁止されていること自体を通知すればよい。台間カード処理機が貯玉再プレイ禁止について通知を行なう機能を有していないならば、貯玉口座の残高を「０」として通知することで、貯玉再プレイ禁止とする。
【０１６７】
ステップＳ３０６又はステップＳ３０７の後、若しくはカード挿入通知を受信していない場合（ステップＳ３０１；Ｎｏ）、制限処理部１４１は、入金通知を受信したか否かを判定する（ステップＳ３０８）。制限処理部１４１は、入金通知を受信したならば（ステップＳ３０８；Ｙｅｓ）、送信元の台間カード処理機に対する制限を制限設定データ４５ｃから読み取り、入金が許可されているか否かを判定する（ステップＳ３０９）。
【０１６８】
入金が許可されている場合には（ステップＳ３０９；Ｙｅｓ）、カード管理部４６ａは、プリペイド価値の加算を行なう（ステップＳ３１０）。一方、入金が許可されていなければ（ステップＳ３０９；Ｎｏ）、制限処理部１４１は、入金リジェクト指示を台間カード処理機に送信する（ステップＳ３１１）。入金リジェクト指示を受信した台間カード処理機は、受け付けた貨幣を排出する処理を行なう。
【０１６９】
ステップＳ３１０又はステップＳ３１１の後、若しくは入金通知を受信していない場合（ステップＳ３０８；Ｎｏ）、制限処理部１４１は、玉貸要求を受信したか否かを判定する（ステップＳ３１２）。制限処理部１４１は、玉貸要求を受信したならば（ステップＳ３１２；Ｙｅｓ）、送信元の台間カード処理機に対する制限を制限設定データ４５ｃから読み取り、プリペイド使用が許可されているか否かを判定する（ステップＳ３１３）。
【０１７０】
プリペイド使用が許可されている場合には（ステップＳ３１３；Ｙｅｓ）、カード管理部４６ａは、プリペイド価値を減算し、台間カード処理機に玉貸許可を送信する（ステップＳ３１４）。一方、プリペイド使用が許可されていなければ（ステップＳ３１３；Ｎｏ）、制限処理部１４１は、玉貸禁止通知を台間カード処理機に送信する（ステップＳ３１５）。ステップＳ３１４又はステップＳ３１５の後、若しくは玉貸要求を受信していない場合（ステップＳ３１２；Ｎｏ）、台間カード処理装置１４０は、処理を終了する。
【０１７１】
上述してきたように、本実施例２では、カード管理装置１４０が制限に従って遊技玉を提供するように構成したので、実施例１と同様の効果を、台間カード処理機の機能に依存することなく実現可能である。
【０１７２】
なお、上述の実施例１及び２では、カード管理装置が台間カード処理機に対する制限を設定する構成を例に説明を行なったが、会員管理装置等、他の装置が台間カード処理機に対する制限を設定し、配信を行うように構成してもよい。
【０１７３】
また、上述の実施例１及び２では、遊技媒体として遊技玉を使用する場合について説明を行なったが、メダル等の他の遊技媒体を使用する場合であっても同様に本発明を適用可能である。
【０１７４】
また、上述の実施例１及び２では、遊技機に併設した台間カード処理機が玉貸や再プレイによる遊技玉の払出を行う構成を例に説明を行なったが、遊技機自体が玉貸や再プレイによる遊技玉の払出を行なう構成に適用してもよい。この場合には、遊技機自体に対して遊技玉の提供方法の制限を設定することとなる。
【０１７５】
また、上述の実施例１及び２では、遊技媒体数を関連づける媒体であるカードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、当該携帯端末のＩＣチップから非接触にて取得可能な識別情報を用いて携帯端末を一意に識別できるため、当該識別情報に関連付けて遊技媒体数を管理することができる。
【０１７６】
また、図示した各構成は機能概略的なものであり、必ずしも物理的に図示の構成をされていることを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１７７】
以上のように、本発明に係る遊技管理システムは、遊技店内で多様な設定を実現し、柔軟な運用を行なうことに適している。
【符号の説明】
【０１７８】
１０  台間カード処理機
１１  状態表示部
１２  紙幣搬送部
１２ａ  紙幣挿入口
１３  表示操作部
１４  リーダライタ
１４ａ  カード挿入口
１４ｂ  かざし部
１５  通信部
１６、４５、５５  記憶部
１６ａ  カードＩＤ
１６ｂ  有価価値データ
１６ｃ  装置ＩＤ
１６ｄ  遊技設定データ
１６ｅ  制限データ
１７、４６、５６  制御部
１７ａ  データ管理部
１７ｂ  計数処理部
１７ｃ、１４１  制限処理部
１７ｄ  貨幣異常検知部
１７ｅ  異常無効化部
１８ａ  ノズルユニット
１８ｂ  計数ユニット
２０  遊技機
３０  島コントローラ
４０、１４０  カード管理装置
４１、５１  表示部
４２、５２  入力部
４３  外部ネットワーク通信部
４４、５４  店舗ネットワーク通信部
４５ａ  カード管理データ
４５ｂ  制限種別データ
４５ｃ  制限設定データ
４６ａ  カード管理部
４６ｂ  制限設定部
４６ｃ  通知部
５０  会員管理装置
５５ａ  会員管理データ
５５ｂ  景品マスタ
５６ａ  会員管理部
５６ｂ  景品マスタ管理部
６０  景品管理装置
８０  精算機
Ｐ１〜Ｐ４  遊技島
【図１】
2018034031.tif 000003
【図２】
2018034031.tif 000004
【図３】
2018034031.tif 000005
【図４】
2018034031.tif 000006
【図５】
2018034031.tif 000007
【図６】
2018034031.tif 000008
【図７】
2018034031.tif 000009
【図８】
2018034031.tif 000010
【図９】
2018034031.tif 000011
【図１０】
2018034031.tif 000012
【図１１】
2018034031.tif 000013
【図１２】
2018034031.tif 000014
【図１３】
2018034031.tif 000015
【図１４】
2018034031.tif 000016